(57)【特許請求の範囲】
【請求項１】
縦管本体の内側に設けられた螺旋案内路に沿って下水を螺旋状に流下させ、縦管本体の底部側方に設けられた流出口から排出する下水道用縦管であって、
直管状の縦管本体は、その底部が、耐摩耗性および耐衝撃性を有する内側表面層と、その内部の支持体層とを積層させて構成され、
内側表面層と支持体層とは止着具により結合されて一体化され、
止着具は、内側表面層と支持体層とに貫通してこれらの層を緊結し、さらに該止着具先端部を支持体層の底面側に当接させた固定用プレートに貫通および溶接することにより抜け止め固定されていることを特徴とする下水道用縦管。
【請求項２】
請求項１に記載の下水道用縦管において、
縦管本体の底部は、支持体層の外側にさらに強化樹脂層を積層させて底面を形成していることを特徴とする下水道用縦管。
【請求項３】
請求項１または２に記載の下水道用縦管において、
内側表面層は、所定の厚みを有する合成樹脂製の板状体により構成されていることを特徴とする下水道用縦管。
【請求項４】
請求項１〜３のいずれか一つの請求項に記載の下水道用縦管において、
支持体層は、所定の厚みを有する合成樹脂製の円柱体により構成されていることを特徴とする下水道用縦管。
【請求項５】
請求項２〜４のいずれか一つの請求項に記載の下水道用縦管において、
強化樹脂層は、縦管本体の底面に繊維強化樹脂を積層成形して形成されることを特徴とする下水道用縦管。
【発明の詳細な説明】
【技術分野】
【０００１】
本発明は、螺旋案内板からなる螺旋案内路を内部に設けた下水用縦管の構成に関する。
【背景技術】
【０００２】
下水道において流域下水道の幹線は、地中の比較的深い位置に計画されていることがあり、関連公共下水道との接続点では高落差接合となる場合がある。このように一つのマンホール内で高落差処理を行う場合には、例えば特許文献１，２に開示されているように、マンホール内に縦管（ドロップシャフト）を配置する方法が採用される。
【０００３】
この種の縦管には、垂直に配設された直管状の縦管本体に対して、下水を螺旋状に旋回させて流下させる螺旋案内路が設けられている。これにより、マンホール内に流入した下水の流下エネルギーを減衰させて、流下した下水によって縦管底部が強い衝撃や荷重を受けるのを避けるとともに、強度を確保することによって底部の摩耗も抑制しうるように形成されている。また、螺旋案内路の軸芯部には、螺旋案内路に案内される下水中に含む空気を上方に排除するために中心筒が設けられている。
【特許文献１】特開平８−４１９４５号公報
【特許文献２】特開２０００−２０５４５７号公報
【発明の開示】
【発明が解決しようとする課題】
【０００４】
上記のような螺旋案内路を備えた縦管は、その底部がコンクリートのマンホール躯体に埋設されている。ところが最近では、日本の太平洋側などにおいて近い将来、大地震の起こる可能性が指摘されており、万一このような地震が起こった場合には、所定の強度を有するマンホール躯体にも亀裂が入ったり、破損したりするおそれがないとはいえない。
【０００５】
マンホール躯体に損傷が生じると、地下水がマンホール内に浸入してしまい、浸入した地下水によって縦管底部が大きな地下水圧を受けることが予想される。このような地下水圧は、縦管底部を破損させるおそれがあり、マンホール内の流況に大きな影響を与えてしまうという問題点があった。
【０００６】
そこで本発明は、上記のような問題点にかんがみてなされたものであり、下水流の荷重や衝撃に耐えうる底部構造を形成し、加えて、縦管底部に地下水の浸入するおそれが生じたり地下水圧が作用したりすることがあっても、その機能性を損なうことなく下水を安定して流下させるに十分な耐久性を備えた構造を有する下水道用縦管を提供しようとするものである。
【課題を解決するための手段】
【０００７】
上記した目的を達成するため、本発明に係る下水道用縦管は、縦管本体の内側に設けられた螺旋案内路に沿って下水を螺旋状に流下させ、縦管本体の底部側方に設けられた流出口から排出する下水道用縦管であって、直管状の縦管本体は、その底部が、耐摩耗性および耐衝撃性を有する内側表面層と、その内部の支持体層とを積層させて構成され、内側表面層と支持体層とは止着具により結合されて一体化され、止着具は、内側表面層と支持体層とに貫通してこれらの層を緊結し、さらに該止着具先端部を支持体層の底面側に当接させた固定用プレートに貫通および溶接することにより抜け止め固定されていることを特徴としている。
【０００８】
このような発明により、縦管底部の強度および耐水性を高めるとともに、下水の流下衝撃や振動に対する耐久性を高めることを可能にしている。また、前記内側表面層と支持体層とは、止着具により結合されて一体化されているので、縦管底部に下水の流下衝撃や振動が作用しても止着具が抜けたり、各層が剥離したりするのを防止することができ、耐久性を一層高めることができる。ここで、縦管に設けられる螺旋案内路は、必ずしも縦管本体の全長にわたって設けられている必要はなく、特に縦管本体の中位部分には設けられていなくても良い。
【０００９】
また本発明は、前記構成の下水道用縦管において、縦管本体の底部が、支持体層の外側にさらに強化樹脂層を積層させて底面を形成していることを特徴としている。
【００１０】
これにより、縦管底部の内側表面層と支持体層に、強化樹脂層を一体化させて強度および耐水性、耐久性を高めることが可能になり、縦管本体の底面に外圧等が作用しても縦管の機能を損なうことがなく、縦管底部が損傷するのを防ぐことができる。
【００１１】
前記縦管底部の内側表面層としては、所定の厚みを有する合成樹脂製の板状体により構成されていることが好ましい。
【００１２】
また、前記支持体層は、所定の厚みを有する合成樹脂製の円柱体により構成されていることが好ましい。
【００１３】
加えて、前記強化樹脂層は、縦管本体の底面に繊維強化樹脂を積層成形して形成されることが好ましい。
【００１４】
このように縦管底部の各層を形成することで、その強度のみならず、必要な耐摩耗性や耐衝撃性、耐水性等を兼ね備えた構造にすることが容易になる。
【発明の効果】
【００１７】
上述のように構成される本発明の下水用縦管によれば、下水流の荷重や衝撃に耐えうる底部構造を形成することができ、さらに、この縦管底部に地下水の浸入するおそれが生じたり地下水圧が作用したりすることがあっても、その機能性を損なうことなく下水を安定して流下させるに十分な耐久性を備えた構造とすることが可能になる。
【発明を実施するための最良の形態】
【００１８】
以下、本発明に係る下水道用縦管を実施するための最良の形態について、図面を参照しつつ説明する。
【００１９】
図１は本発明に係る下水道用縦管の底部構造を模式的に示す断面図である。
【００２０】
図示するように、この下水道用縦管１は、直管状の縦管本体１１の内側に下水を螺旋状に流下させて縦管１内に渦流を形成するための螺旋案内路１２が設けられ、底部側方に下水を排出する流出口１３が設けられている。
【００２１】
螺旋案内路１２は、小口径円筒状の中心筒１２１と、その中心筒１２１の外周面に螺旋状に形成された螺旋案内板１２２によって構成されている。中心筒１２１と螺旋案内板１２２とは、ともに縦管本体１１と同心になるように配設されている。これによって、縦管１に流入した下水は螺旋案内路１２に沿って旋回しながら流れ、これにより縦管１内に渦流を形成する。この渦流の発生により、流入する下水を、汚濁物質を多く含む汚水とあまり含まない汚水とに分離したり、落下エネルギーを減勢させて下水と空気とを分離したりするのを可能にしている。
【００２２】
本実施形態において、縦管１の縦管本体１１は、その底部２０が、耐摩耗性・耐衝撃性を有する内側表面層２１と、その内部の支持体層２２とを積層させて構成され、さらにその外側に強化樹脂層２３とを積層成形して形成されている。
【００２３】
すなわち縦管本体１１の底部２０は、内側表面層２１と支持体層２２と強化樹脂層２３との３層構造になっており、支持体層２２において底部２０の厚みを確保し、その上下に積層される内側表面層２１と強化樹脂層２３において耐摩耗性、耐衝撃性、および止水性等の所要性能をもたせている。
【００２４】
特に強化樹脂層２３においては、万一、マンホール躯体１０にクラックを生じた場合の地下水の浸入を防ぐ必要があるため、その強度を確保するとともに止水性を高める目的で、支持体層２２だけでなく縦管本体１１の下端も被覆するように形成されている。
【００２５】
これにより、縦管本体１１とは別体で形成された底部２０が、縦管本体１１と一体化し、両者の間に水密性を保つことを可能にしている。したがって、縦管１の底部２０に地下水圧が作用しても縦管１を機能させるに足る耐久性および耐水性を発揮することが可能な構成となされている。
【実施例】
【００２６】
次に本発明に係る下水道用縦管の好適な実施例について図面を参照しつつ説明する。
【００２７】
図２〜図５は本発明の下水道用縦管の実施例であり、図２は縦管底部を示す部分断面図、図３は縦管底部の内側表面層を示す平面図、図４は縦管底部の支持体層の底面側を示す下面図、図５は縦管底部の部分断面図である。
【００２８】
縦管本体１１は、例えば、口径が約３ｍの大きさを有する直管であり、図示しないがその上部に下水の流入口や螺旋案内路等を備えている。
【００２９】
この縦管本体１１の材質は特に限定されるものではないが、強度や剛性等の観点から、例えば、硬質塩化ビニル樹脂、繊維強化樹脂、ポリカーボネート等の合成樹脂の他に、繊維強化樹脂とモルタルとの積層体である強化プラスチックモルタル（いわゆるＦＲＰＭ）や、合成樹脂とセメント等との複合材や、鉄筋で補強されたコンクリート等が好適に使用できる。また、中心筒や螺旋案内路の材質は、強度や加工性等の面からは繊維強化プラスチック（ＦＲＰ）等を用いることが好ましい。
【００３０】
縦管本体１１の底部２０において、内側表面層２１は合成樹脂製の板状体からなり、複数枚に分割された板状体を接合して縦管本体１１の内周に沿う円形に形成されている。
【００３１】
この内側表面層２１に使用される樹脂としては、剛性が高く、耐摩耗性および耐衝撃性に優れた樹脂であれば特に限定されないが、ポリエチレン樹脂、塩化ビニル系樹脂、ポリカーボネート系樹脂、オレフィン系樹脂、アクリル系樹脂等の熱可塑性樹脂などから適宜選定される。
【００３２】
内側表面層２１の肉厚は、薄肉であると下層の支持体層２２に変形がおよび、厚肉であると下水の落下衝撃により破壊されやすくなるおそれがあるので、約１０〜２０ｍｍ程度の範囲内で形成されることが好ましい。例示の縦管本体１１では、口径が約３ｍであるので、これに対応して内側表面層２１の厚さを約２０ｍｍとしている。
【００３３】
この内側表面層２１の下層を形成する支持体層２２は、縦管本体１１の大きさに合わせて設けられ、例示の場合、約６０ｍｍの厚さを有する合成樹脂製の円柱体で構成されている。支持体層２２の材質としては、耐食性に優れ高強度かつ加工性に富む素材が好ましく、例えば、ガラス繊維強化樹脂発泡体（ＦＦＵ）等が用いられる。
【００３４】
これらの内側表面層２１と支持体層２２とは、ビス等の止着具３０を用いて緊結することにより一体化されて、縦管本体１１の底部２０を構成している。図４，５に示すように、止着具３０は、内側表面層２１と支持体層２２とに貫通して両者を緊結している。
【００３５】
また、この止着具３０の先端部３０１は、支持体層２２の底面側において、固定用プレート３１に貫通させており、さらに固定用プレート３１に溶接することによって止着具３０の抜け止めを図っている。例示の固定用プレート３１は、中央にビス孔３１１が形成された矩形状の金属製プレートであり、高強度で耐食性のあるステンレス等の鋼材により形成されている。
【００３６】
これらの止着具３０による緊結箇所は、底部２０の周縁部およびその内側に約２４０〜２５０ｍｍの均等間隔にグリッド配置されている。そして、底部２０の内側においては、３８ｍｍ角の正方形プレートが固定用プレート３１として用いられ、周縁部においては、それよりも大きい、１６０ｍｍ角の正方形プレートを固定用プレート３１ａとして用いることにより、底部３０の周縁部の隅押さえおよび補強を図っている。
【００３７】
止着具３０の緊結箇所のうち、分割された内側表面層２１どうしを突き合わせている箇所については、前記周縁部およびその内側よりもさらに密に止着具３０を用いて止め着けられている。かかる箇所には、固定用プレート３１ｂとして３８ｍｍ×１６０ｍｍの長方形状の細長プレートを用いて、分割された内側表面層２１の辺縁部を押さえて強度を高めるように構成されている。
【００３８】
また、このような内側表面層２１および支持体層２２の下部に設けられる強化樹脂層２３は、縦管本体１１の底面に繊維強化樹脂（ＦＲＰ）を積層成形することにより設けられている。繊維強化樹脂は、ガラス繊維等の無機繊維、炭素繊維、アラミド繊維、ビニロン繊維等の有機繊維にて強化した樹脂が好ましい。
【００３９】
かかる強化樹脂層２３は、支持体層２２の底面側に露出した止着具３０および固定用プレート３１の上から強化繊維を敷設し、ハンドレイアップ法によって一体的に成形されている。前記したように、縦管１の底部は外水圧に対する耐力を備える必要性があるので、その肉厚が約１５〜２０ｍｍ程度の範囲内で積層成形される。例示の形態では、約２０ｍｍの厚さで積層成形されている。
【００４０】
また、縦管１の底部の耐水性を確保するため、強化樹脂層２３を支持体層２２の底面側だけでなく、縦管本体１１の外周面にわたって一体的に形成している。これにより、縦管本体１１と強化樹脂層２３との間で水密性が確保されている。この強化樹脂層２３は縦管本体１１の底部から、高さ方向に約１０ｍｍ程度の立ち上がりを有するように積層成形されていればよい。
【００４１】
以上のように、本実施例の下水道用縦管１では、底部２０が内側表面層２１、支持体層２２、および強化樹脂層２３によって構成されて、高い強度を確保することが可能となっている。これにより、万一、縦管１の底部２０に地下水圧が作用するような事態が生じても、底部２０が破損するおそれがなく、マンホール躯体にクラックを生じても地下水等の浸入を防ぐことができる。さらに、内側表面層２１と支持体層２２とを一体化させている止着具３０は固定用プレート３１により抜け止め固定され、さらに強化樹脂層２３が積層成形されているので、底部２０に下水の流下衝撃や振動が作用しても止着具３０が抜けるのを防止することができる。
【産業上の利用可能性】
【００４２】
本発明は、下水道において下水全量を流下させることのできる高落差接合のマンホールに設置する螺旋案内路式ドロップシャフトの縦管に好適に利用することができる。
【図面の簡単な説明】
【００４３】
【図１】本発明に係る下水道用縦管の底部構造を模式的に示す断面図である。
【図２】本発明の下水道用縦管の一実施例であり、縦管底部を示す部分断面図である。
【図３】前記縦管における底部の内側表面層を示す平面図である。
【図４】前記縦管における底部の支持体層の底面側を示す下面図である。
【図５】前記縦管における底部の部分断面図である。
【符号の説明】
【００４４】
１      下水道用縦管
１１    縦管本体
１２    螺旋案内路
１２１  中心筒
１２２  螺旋案内板
１３    流出口
２０    底部
２１    内側表面層
２２    支持体層
２３    強化樹脂層
【図１】
0004579125.tif 000002
【図２】
0004579125.tif 000003
【図３】
0004579125.tif 000004
【図４】
0004579125.tif 000005
【図５】
0004579125.tif 000006